(57)【要約】【課題】情報コードの複製防止に関するセキュリティ性を向上させ得る情報コード読取システムおよび情報コード読取方法並びに表示媒体を提供する。【解決手段】表示媒体２０には、第１の情報が読み取られる視認可能な情報コードＣ１と、マスク部材３０に覆われることで専用光に応じた反射特性により第２の情報が読み取られる情報コードＣ２と、が表示されている。そして、情報コード読取装置４０により撮像された情報コードＣ１と情報コードＣ２との双方のデコード結果が得られることで、表示媒体２０が正規の媒体であることが認証される。【選択図】図２
2015185079.tif 000002
【特許請求の範囲】
【請求項１】
情報コードが表示された表示媒体と、
前記表示媒体に表示された情報コードを光学的に読み取る読取装置と、を備え、
前記読取装置による読取結果に基づいて前記表示媒体の認証を行う認証手段を有する情報コード読取システムにおいて、
前記表示媒体には、
第１の情報が読み取られる視認可能な第１の情報コードと、特定の波長帯の光に応じた反射特性により第２の情報が読み取られる第２の情報コードと、が表示され、
前記読取装置は、
少なくとも前記特定の波長帯の光を照射可能な照明手段と、
前記表示媒体に対して、前記第１の情報コードと前記照明手段により前記特定の波長帯の光が照射された状態の前記第２の情報コードとを撮像する撮像手段と、
前記撮像手段によって撮像された情報コードをデコードするデコード手段と、
を備え、
前記認証手段は、前記デコード手段により、前記第１の情報コードと前記第２の情報コードとの双方のデコード結果が得られることで、前記表示媒体が正規の媒体であることを認証することを特徴とする情報コード読取システム。
【請求項２】
前記第１の情報コードおよび前記第２の情報コードは、所定の読取方向に沿うように配置されることを特徴とする請求項１に記載の情報コード読取システム。
【請求項３】
情報コードが表示された表示媒体と、
前記表示媒体に表示された情報コードを光学的に読み取る読取装置と、を備え、
前記読取装置による読取結果に基づいて前記表示媒体の認証を行う認証手段を有する情報コード読取システムにおいて、
前記表示媒体には、
第１の情報が読み取られるように視認可能であって特定の波長帯の光を透過させる第１の情報コードと、前記第１の情報コードにより覆われて前記特定の波長帯の光に応じた反射特性により第２の情報が読み取られる第２の情報コードと、が表示され、
前記読取装置は、
少なくとも前記特定の波長帯の光を照射可能な照明手段と、
前記表示媒体に対して、前記第１の情報コードと前記照明手段により前記特定の波長帯の光が照射された状態の前記第２の情報コードとを撮像する撮像手段と、
前記撮像手段によって撮像された情報コードをデコードするデコード手段と、
を備え、
前記認証手段は、前記デコード手段により、前記第１の情報コードと前記第２の情報コードとの双方のデコード結果が得られることで、前記表示媒体が正規の媒体であることを認証することを特徴とする情報コード読取システム。
【請求項４】
前記第２の情報コードは、前記特定の波長帯の光を透過するマスク部材により覆われ、
前記第１の情報コードは、前記マスク部材を覆うように配置されることを特徴とする請求項３に記載の情報コード読取システム。
【請求項５】
前記第２の情報には、認証のための情報が含まれることを特徴とする請求項１〜４のいずれか一項に記載の情報コード読取システム。
【請求項６】
前記認証手段は、さらに、前記２つのデコード結果の比較結果に応じて、前記表示媒体が正規の媒体であることを認証することを特徴とする請求項１〜５のいずれか一項に記載の情報コード読取システム。
【請求項７】
前記第２の情報には、認証に利用する有効期限に関する情報が含まれ、
前記認証手段は、さらに、デコード結果から得られる前記有効期限が所定の期限内である場合に、前記表示媒体が正規の媒体であることを認証することを特徴とする請求項１〜６のいずれか一項に記載の情報コード読取システム。
【請求項８】
前記第１の情報コードは、所定の暗号鍵により解読可能に暗号化され、
前記第２の情報には、前記所定の暗号鍵が含まれることを特徴とする請求項１〜７のいずれか一項に記載の情報コード読取システム。
【請求項９】
表示媒体に表示された情報コードを読取装置を用いて光学的に読み取る情報コード読取方法において、
前記表示媒体には、
第１の情報が読み取られる視認可能な第１の情報コードと、特定の波長帯の光に応じた反射特性により第２の情報が読み取られる第２の情報コードと、が表示され、
前記読取装置により、撮像された前記第１の情報コードをデコードするとともに前記特定の波長帯の光が照射された状態で撮像された前記第２の情報コードをデコードする第１ステップと、
前記第１ステップにてそれぞれデコード結果が得られることで、前記表示媒体が正規の媒体であることを認証する第２ステップと、
を備えることを特徴とする情報コード読取方法。
【請求項１０】
表示媒体に表示された情報コードを読取装置を用いて光学的に読み取る情報コード読取方法において、
前記表示媒体には、
第１の情報が読み取られるように視認可能であって特定の波長帯の光を透過させる第１の情報コードと、前記第１の情報コードにより覆われて前記特定の波長帯の光に応じた反射特性により第２の情報が読み取られる第２の情報コードと、が表示され、
前記読取装置により、撮像された前記第１の情報コードをデコードするとともに前記特定の波長帯の光が照射された状態で撮像された前記第２の情報コードをデコードする第１ステップと、
前記第１ステップにてそれぞれデコード結果が得られることで、前記表示媒体が正規の媒体であることを認証する第２ステップと、
を備えることを特徴とする情報コード読取方法。
【請求項１１】
前記第１ステップでは、前記特定の波長帯の光が照射された状態で撮像された前記第２の情報コードをデコードした後に、前記第１の情報コードをデコードすることを特徴とする請求項９または１０に記載の情報コード読取方法。
【請求項１２】
情報コードが表示される表示媒体であって、
第１の情報が読み取られる視認可能な第１の情報コードと、特定の波長帯の光に応じた反射特性により第２の情報が読み取られる第２の情報コードと、を備えてなる表示媒体。
【請求項１３】
情報コードが表示される表示媒体であって、
第１の情報が読み取られるように視認可能であって特定の波長帯の光を透過させる第１の情報コードと、前記第１の情報コードにより覆われて前記特定の波長帯の光に応じた反射特性により第２の情報が読み取られる第２の情報コードと、を備えてなる表示媒体。
【発明の詳細な説明】
【技術分野】
【０００１】
本発明は、情報コード読取システムおよび情報コード読取方法並びに表示媒体に関するものである。
【背景技術】
【０００２】
現在、バーコードやＱＲコード（登録商標）などの情報コードが様々な用途で使用されており、その使用目的も多様化しつつある。特に、近年では、情報コードのセキュリティ性向上のニーズが高まってきており、例えば、情報コードの不正な複製を防止することができるような構成が求められている。
【０００３】
このような、情報コードの不正な複製を防止する技術に関するものとして、例えば、下記特許文献１に開示される２次元コード付き帳票が知られている。この２次元コード付き帳票では、用紙上のサーマル層に対してサーマル印字により２次元コードが赤外発色して構成され、この２次元コードの上に、赤外光非吸収インキからなる隠蔽用の隠蔽ベタ印刷層が設けられ、更に、この隠蔽ベタ印刷層の上に、２次元コードの視覚的認識を困難にする２種類のカモフラージュ印刷層が設けられている。これにより、帳票をコピー機で複写しても隠蔽ベタ印刷層により２次元コードが再現されないため、２次元コードの不正な複製を防止することができる。
【先行技術文献】
【特許文献】
【０００４】
【特許文献１】特開２０１３−００１０７８号公報
【発明の概要】
【発明が解決しようとする課題】
【０００５】
ところで、上述のように情報コードが隠蔽される表示媒体では、その情報コードを読み取る際には、隠蔽ベタ印刷層に読取装置の読取口を向ける必要がある。すなわち、情報コードを視認できない隠蔽ベタ印刷層の部分に読取口が向けられることとなるため、この隠蔽ベタ印刷層の部分に何らかの工夫が施されていることが知得される可能性がある。そうすると、隠蔽ベタ印刷層を用いた情報コードの隠蔽構成が解析されやすくなってしまい、セキュリティ面で問題がある。
【０００６】
本発明は、上述した課題を解決するためになされたものであり、その目的とするところは、情報コードの複製防止に関するセキュリティ性を向上させ得る情報コード読取システムおよび情報コード読取方法並びに表示媒体を提供することにある。
【課題を解決するための手段】
【０００７】
上記目的を達成するため、特許請求の範囲の請求項１に記載の発明は、情報コード（Ｃ１，Ｃ２）が表示された表示媒体（２０，２０ａ）と、前記表示媒体に表示された情報コードを光学的に読み取る読取装置（４０）と、を備え、前記読取装置による読取結果に基づいて前記表示媒体の認証を行う認証手段（４１）を有する情報コード読取システム（１０）において、前記表示媒体には、第１の情報が読み取られる視認可能な第１の情報コード（Ｃ１）と、特定の波長帯の光に応じた反射特性により第２の情報が読み取られる第２の情報コード（Ｃ２）と、が表示され、前記読取装置は、少なくとも前記特定の波長帯の光を照射可能な照明手段（４４）と、前記表示媒体に対して、前記第１の情報コードと前記照明手段により前記特定の波長帯の光が照射された状態の前記第２の情報コードとを撮像する撮像手段（４２）と、前記撮像手段によって撮像された情報コードをデコードするデコード手段（４１）と、を備え、前記認証手段は、前記デコード手段により、前記第１の情報コードと前記第２の情報コードとの双方のデコード結果が得られることで、前記表示媒体が正規の媒体であることを認証することを特徴とする。
【０００８】
請求項３に記載の発明は、情報コード（Ｃ１，Ｃ２）が表示された表示媒体（２０，２０ａ）と、前記表示媒体に表示された情報コードを光学的に読み取る読取装置（４０）と、を備え、前記読取装置による読取結果に基づいて前記表示媒体の認証を行う認証手段（４１）を有する情報コード読取システム（１０）において、前記表示媒体には、第１の情報が読み取られるように視認可能であって特定の波長帯の光を透過させる第１の情報コード（Ｃ１）と、前記第１の情報コードにより覆われて前記特定の波長帯の光に応じた反射特性により第２の情報が読み取られる第２の情報コード（Ｃ２）と、が表示され、前記読取装置は、少なくとも前記特定の波長帯の光を照射可能な照明手段（４４）と、前記表示媒体に対して、前記第１の情報コードと前記照明手段により前記特定の波長帯の光が照射された状態の前記第２の情報コードとを撮像する撮像手段（４２）と、前記撮像手段によって撮像された情報コードをデコードするデコード手段（４１）と、を備え、前記認証手段は、前記デコード手段により、前記第１の情報コードと前記第２の情報コードとの双方のデコード結果が得られることで、前記表示媒体が正規の媒体であることを認証することを特徴とする。
【０００９】
請求項９に記載の発明は、表示媒体（２０）に表示された情報コード（Ｃ１，Ｃ２）を読取装置（４０）を用いて光学的に読み取る情報コード読取方法において、前記表示媒体には、第１の情報が読み取られる視認可能な第１の情報コード（Ｃ１）と、特定の波長帯の光に応じた反射特性により第２の情報が読み取られる第２の情報コード（Ｃ２）と、が表示され、前記読取装置により、撮像された前記第１の情報コードをデコードするとともに前記特定の波長帯の光が照射された状態で撮像された前記第２の情報コードをデコードする第１ステップと、前記第１ステップにてそれぞれデコード結果が得られることで、前記表示媒体が正規の媒体であることを認証する第２ステップと、を備えることを特徴とする。
【００１０】
請求項１０に記載の発明は、表示媒体（２０ａ）に表示された情報コード（Ｃ１，Ｃ２）を読取装置（４０）を用いて光学的に読み取る情報コード読取方法において、前記表示媒体には、第１の情報が読み取られるように視認可能であって特定の波長帯の光を透過させる第１の情報コード（Ｃ１）と、前記第１の情報コードにより覆われて前記特定の波長帯の光に応じた反射特性により第２の情報が読み取られる第２の情報コード（Ｃ２）と、が表示され、前記読取装置により、撮像された前記第１の情報コードをデコードするとともに前記特定の波長帯の光が照射された状態で撮像された前記第２の情報コードをデコードする第１ステップと、前記第１ステップにてそれぞれデコード結果が得られることで、前記表示媒体が正規の媒体であることを認証する第２ステップと、を備えることを特徴とする。
なお、上記各括弧内の符号は、後述する実施形態に記載の具体的手段との対応関係を示すものである。
【発明の効果】
【００１１】
請求項１の発明では、表示媒体には、第１の情報が読み取られる視認可能な第１の情報コードと、特定の波長帯の光に応じた反射特性により第２の情報が読み取られる第２の情報コードと、が表示されている。そして、撮像された第１の情報コードと第２の情報コードとの双方のデコード結果が得られることで、表示媒体が正規の媒体であることが認証手段により認証される。
【００１２】
また、請求項９の発明では、表示媒体には、第１の情報が読み取られる視認可能な第１の情報コードと、特定の波長帯の光に応じた反射特性により第２の情報が読み取られる第２の情報コードと、が表示されている。そして、第１ステップにて、読取装置により撮像された第１の情報コードがデコードされるとともに読取装置により特定の波長帯の光が照射された状態で撮像された第２の情報コードがデコードされ、第１ステップにてそれぞれデコード結果が得られることで、第２ステップにて、表示媒体が正規の媒体であることが認証される。
【００１３】
このように、第１の情報コードおよび第２の情報コードの双方が読み取られる場合にその表示媒体が正規の媒体であると認証されるため、単なる複製では特定の波長帯の光にて反射特性を示す第２の情報コードまで正確に複製できないので、第２の情報コードを利用した表示媒体の複製防止を実現することができる。特に、第三者が視認可能な第１の情報コードの他に特定の波長帯の光にて反射特性を示す第２の情報コードが更に用意されていることまで想到することは非常に困難であり、第２の情報コードの存在の知得を困難にすることができる。したがって、情報コードの複製防止に関するセキュリティ性を向上させることができる。
【００１４】
請求項２の発明では、第１の情報コードおよび第２の情報コードは、所定の読取方向に沿うように配置されるため、特定の波長帯の光にて反射特性を示す第２の情報コードの位置を視認可能な第１の情報コードから容易に推測することができる。特に、表示媒体を読取装置に対して上記所定の読取方向に機械的に沿うように送ることで、第１の情報コードおよび第２の情報コードの読み取りをスムーズに実施することができる。
【００１５】
請求項３の発明では、表示媒体には、第１の情報が読み取られるように視認可能であって特定の波長帯の光を透過させる第１の情報コードと、この第１の情報コードにより覆われて上記特定の波長帯の光に応じた反射特性により第２の情報が読み取られる第２の情報コードと、が表示されている。そして、撮像された第１の情報コードと第２の情報コードとの双方のデコード結果が得られることで、表示媒体が正規の媒体であることが認証手段により認証される。
【００１６】
また、請求項１０の発明では、表示媒体には、第１の情報が読み取られるように視認可能であって特定の波長帯の光を透過させる第１の情報コードと、この第１の情報コードにより覆われて上記特定の波長帯の光に応じた反射特性により第２の情報が読み取られる第２の情報コードと、が表示されている。そして、第１ステップにて、読取装置により撮像された第１の情報コードがデコードされるとともに特定の波長帯の光が照射された状態で撮像された第２の情報コードがデコードされ、第１ステップにてそれぞれデコード結果が得られることで、第２ステップにて、表示媒体が正規の媒体であることが認証される。
【００１７】
このように、第１の情報コードおよび第２の情報コードの双方が読み取られる場合にその表示媒体が正規の媒体であると認証されるため、単なる複製では特定の波長帯の光にて反射特性を示す第２の情報コードまで正確に複製できないので、第２の情報コードを利用した表示媒体の複製防止を実現することができる。特に、第三者が視認可能な第１の情報コードの他に特定の波長帯の光にて反射特性を示す第２の情報コードが更に用意されていることまで想到することは非常に困難であり、第２の情報コードの存在の知得を困難にすることができる。さらに、第１の情報コードを読み取る位置に読取装置の読取口を向けることで第２の情報コードをも読み取ることができるので、読取作業が容易になるだけでなく、第１の情報コードにより第２の情報コードの存在の知得をより困難にすることができる。したがって、情報コードの複製防止に関するセキュリティ性を向上させることができる。
【００１８】
請求項４の発明では、第２の情報コードは、上記特定の波長帯の光を透過するマスク部材により覆われ、第１の情報コードは、マスク部材を覆うように配置されている。このため、マスク部材により第２の情報コードの存在の知得をより困難にするだけでなく、重ねるように配置された第１の情報コードと第２の情報コードとを明確に区別することができる。
【００１９】
請求項５の発明では、第２の情報には、認証のための情報が含まれるため、上記特定の波長帯の光が照射された状態で撮像された情報コードに上記認証のための情報が含まれるか否かについて判断することで、第２の情報コードを読み取っているか否か、すなわち、表示媒体が正規の媒体であるか否かを判別することができる。これにより、単に第２の情報コードを読み取っただけは表示媒体が正規の媒体であると認証されないので、認証手段による認証精度を向上させることができる。
【００２０】
請求項６の発明では、認証手段は、さらに、２つのデコード結果の比較結果に応じて、表示媒体が正規の媒体であることを認証する。これにより、例えば、第１の情報に含まれる情報と第２の情報に含まれる情報とが一定の関係にある場合に表示媒体が正規の媒体であることを認証することで、第１の情報の内容と第２の情報の内容との双方を考慮して表示媒体が正規の媒体であるか否かについて判別されるため、認証手段による認証精度をさらに向上させることができる。
【００２１】
請求項７の発明では、認証手段は、さらに、第２の情報コードのデコード結果から得られる有効期限が所定の期限内である場合に、その表示媒体が正規の媒体であることを認証する。これにより、有効期限をも考慮して情報コードの複製防止に関するセキュリティ性を向上させるとともに、有効期限の改竄を抑制できるだけでなく、有効期限が設定されていることさえ知得しにくくすることができる。
【００２２】
請求項８の発明では、第２の情報には、第１の情報コードの少なくとも一部を解読するための所定の暗号鍵が含まれるため、視認不能な第２の情報コードを読み取らない限り第１の情報コードの少なくとも一部を解読できないので、認証手段による認証精度をさらに向上させるとともに、第１の情報コードに関するセキュリティ性を向上させることができる。
【００２３】
請求項１１の発明では、第１ステップにて、特定の波長帯の光が照射された状態で撮像された第２の情報コードがデコードされた後に、第１の情報コードがデコードされる。これにより、特定の波長帯の光が照射されて撮像された状態でデコードが失敗した媒体を偽造された偽造媒体とみなすことで、偽造媒体を撮像した場合に第１の情報コードに関する撮像処理やデコード処理を省略することができ、認証に関する処理を容易にし、その処理負荷を軽減することができる。
【００２４】
請求項１２の発明では、表示媒体には、第１の情報が読み取られる視認可能な第１の情報コードと、特定の波長帯の光に応じた反射特性により第２の情報が読み取られる第２の情報コードと、が表示されている。
【００２５】
これにより、第１の情報コードおよび第２の情報コードの双方が読み取られる場合に限りその表示媒体が正規の媒体であると認証することで、単なる複製では特定の波長帯の光にて反射特性を示す第２の情報コードまで正確に複製できないので、第２の情報コードを利用した表示媒体の複製防止を実現することができる。特に、第三者が視認可能な第１の情報コードの他に特定の波長帯の光にて反射特性を示す第２の情報コードが更に用意されていることまで想到することは非常に困難であり、第２の情報コードの存在の知得を困難にすることができる。したがって、表示媒体に表示される情報コードの複製防止に関するセキュリティ性を向上させることができる。
【００２６】
また、請求項１３の発明では、表示媒体には、第１の情報が読み取られるように視認可能であって特定の波長帯の光を透過させる第１の情報コードと、この第１の情報コードにより覆われて上記特定の波長帯の光に応じた反射特性により第２の情報が読み取られる第２の情報コードと、が表示されている。
【００２７】
これにより、第１の情報コードおよび第２の情報コードの双方が読み取られる場合に限りその表示媒体が正規の媒体であると認証することで、単なる複製では特定の波長帯の光にて反射特性を示す第２の情報コードまで正確に複製できないので、第２の情報コードを利用した表示媒体の複製防止を実現することができる。特に、第三者が視認可能な第１の情報コードの他に特定の波長帯の光にて反射特性を示す第２の情報コードが更に用意されていることまで想到することは非常に困難であり、第２の情報コードの存在の知得を困難にすることができる。さらに、第１の情報コードを読み取る位置に読取装置の読取口を向けることで第２の情報コードをも読み取ることができるので、読取作業が容易になるだけでなく、第１の情報コードにより第２の情報コードの存在の知得をより困難にすることができる。したがって、表示媒体に表示される情報コードの複製防止に関するセキュリティ性を向上させることができる。
【図面の簡単な説明】
【００２８】
【図１】第１実施形態に係る情報コード読取システムを概略的に例示するブロック図である。
【図２】第１実施形態に係る表示媒体の一例を説明する説明図である。
【図３】第１実施形態に係る情報コード読取装置での読取処理の流れを例示するフローチャートである。
【図４】第２実施形態に係る表示媒体の一例を説明する説明図である。
【図５】第３実施形態に係る情報コード読取装置での読取処理の流れを例示するフローチャートである。
【図６】第４実施形態に係る情報コード読取装置での読取処理の流れを例示するフローチャートである。
【図７】第５実施形態に係る情報コード読取装置での読取処理の流れを例示するフローチャートである。
【図８】第６実施形態に係る情報コード読取装置での読取処理の流れを例示するフローチャートである。
【図９】第７実施形態に係る情報コード読取装置での読取処理の流れを例示するフローチャートである。
【発明を実施するための形態】
【００２９】
［第１実施形態］
以下、本発明に係る情報コード読取システムおよび情報コード読取方法並びに表示媒体を具現化した第１実施形態について、図面を参照して説明する。なお、図１は、第１実施形態に係る情報コード読取システム１０を概略的に例示するブロック図である。
図１に示す情報コード読取システム１０は、情報コードが表示された表示媒体２０と、この表示媒体２０に表示された情報コードを光学的に読み取る情報コード読取装置４０と、を備え、情報コード読取装置４０による読取結果に基づいて表示媒体２０の認証を行うシステムである。本実施形態では、情報コード読取システム１０は、コンサートの入場管理システムとして採用されており、表示媒体２０は、コンサートの入場チケットとして所定の印刷所等にて作成された後に販売所等にて販売され、情報コード読取装置４０は、コンサート会場の各入場ゲートにそれぞれ設置されている。
【００３０】
（表示媒体）
まず、本実施形態の情報コード読取システム１０で用いられる表示媒体２０について図面を参照して詳述する。なお、図２は、第１実施形態に係る表示媒体２０の一例を説明する説明図であり、図２（Ａ）は、表示媒体２０に対して可視光を照射して撮像した撮像画像を示し、図２（Ｂ）は、表示媒体２０に対して専用光を照射して撮像した撮像画像を示す。なお、図２（Ｂ）では、便宜上、マスク部材３０の位置を二点鎖線にて示している。
【００３１】
表示媒体２０は、第１の情報コード（以下、単に、情報コードＣ１とも言う）と、マスク部材３０により覆われた第２の情報コード（以下、単に、情報コードＣ２とも言う）が、所定の情報とともに用紙２１に表示されてなるものである。図２に示すように、情報コードＣ１および情報コードＣ２は、用紙２１の長手方向に沿い予め決められた所定の距離だけ離れるように配置されている。
【００３２】
情報コードＣ１，Ｃ２は、ＱＲコードであって、正方形領域として構成される複数の明色モジュールおよび暗色モジュールがマトリックス状に配置されて構成されている。情報コードＣ１は、情報コード読取装置４０により第１の情報が光学的に読み取られるように構成されており、この第１の情報には、入場チケットに関する情報として公開可能な公開情報、例えば、コンサートを特定する情報や管理番号等が含まれている。情報コードＣ２は、情報コード読取装置４０により第２の情報が光学的に読み取られるように構成されており、この第２の情報には、入場チケットに関する情報として非公開とすべき非公開情報、例えば、チケット購入者の個人情報等が含まれている。
【００３３】
情報コードＣ１，Ｃ２を構成する各モジュールのうち各明色モジュールは、可視光領域の波長帯の光（以下、単に、可視光とも言う）またはこの波長帯と異なる特定の波長帯の光（以下、単に、専用光とも言う）が照射されたときに、明色の反射特性を示すように構成されている。また、情報コードＣ１，Ｃ２を構成する各暗色モジュールは、可視光または専用光が照射されたときに、暗色の反射特性を示すように構成されている。具体的には、情報コードＣ１，Ｃ２を構成する各モジュールは、一般的に使用される通常のインクを塗布して構成されている。
【００３４】
マスク部材３０は、上記専用光が照射されたときに情報コードＣ２を構成する各モジュールからの反射光を透過させ、上記可視光の透過を妨げるようなインクを塗布して構成されている。本実施形態では、上記専用光として赤外光を想定しており、マスク部材３０は、例えば、赤外線透過インク等を塗布して構成される。
【００３５】
このため、可視光が支配的である通常状態では、図２（Ａ）に示すように、情報コードＣ２がマスク部材３０により隠されて視認および撮像できない状態となる。一方、上記専用光を照射しつつ撮像する場合には、情報コードＣ２を構成する各モジュールからの反射光がマスク部材３０を透過するため、図２（Ｂ）に示すように撮像され、この撮像画像から情報コードＣ２を抽出することが可能となる。
【００３６】
（情報コード読取装置）
次に、表示媒体２０に表示された情報コードを光学的に読み取り可能な情報コード読取装置４０について図面を参照して詳述する。
図１に示す情報コード読取装置４０は、表示媒体２０に付された情報コードを撮像し、光学的に読み取る機能を有している。この情報コード読取装置４０は、ＣＰＵ等からなる制御部４１、受光センサを備えたカメラとして構成される撮像部４２、可視光を照射する第１照明光源４３、上記専用光（本実施形態では、赤外光）を照射する第２照明光源４４、ＲＯＭ、ＲＡＭ、不揮発性メモリなどの記憶手段からなる記憶部４５などを備えている。
【００３７】
撮像部４２は、一対の第１照明光源４３ａ，４３ｂの間に配置されており、表示媒体２０やこの表示媒体２０に表示された情報コードからの反射光を受光センサ４２ａの受光面に結像させ、情報コードの画像データを生成するように機能している。受光センサ４２ａは、表示媒体２０に照射されて反射した反射光を受光可能に構成されるもので、例えば、Ｃ−ＭＯＳやＣＣＤ等の固体撮像素子である受光素子を一次元に配列したラインセンサ、或いは２次元に配列したエリアセンサが、これに相当する。また、結像レンズ４２ｂは、例えば、鏡筒とこの鏡筒内に収容される複数の集光レンズとによって構成されており、受光センサ４２ａの受光面に情報コードのコード画像を結像するように機能している。光学系の受光センサ４２ａから出力される画像信号は、例えば記憶部４５の画像データ蓄積領域に蓄積されるようになっている。なお、撮像部４２は、「撮像手段」の一例に相当し得る。
【００３８】
照明光源（照明光学系）を構成する第１照明光源４３及び第２照明光源４４は、例えば撮像部４２（受光光学系）を挟んだ両側にそれぞれ設けられている。一対の第１照明光源４３ａ，４３ｂは、例えば波長３８０ｎｍ〜７５０ｎｍの可視光を照射するＬＥＤによって構成されている。また、対をなして配置される第２照明光源４４ａ，４４ｂは、専用光として波長７５０ｎｍ以上の赤外光を照射するＬＥＤによって構成されている。なお、第２照明光源４４は、「照明手段」の一例に相当し、本実施形態では、第２照明光源４４の光源数が第１照明光源４３の光源数よりも多くなっている。
【００３９】
記憶部４５は、半導体メモリ装置であり、例えばＲＡＭ（ＤＲＡＭ、ＳＲＡＭ等）やＲＯＭ（ＥＰＲＯＭ、ＥＥＰＲＯＭ等）がこれに相当する。この記憶部４５のうちのＲＡＭには、前述した画像データ蓄積領域のほかに、制御部４１が算術演算や論理演算等の各処理時に利用する作業領域や読取条件テーブルも確保可能に構成されている。またＲＯＭには、各種処理等を実行可能な所定プログラムやその他、照明光源、受光センサ４２ａ等の各ハードウェアを制御可能なシステムプログラム等が予め格納されている。また、制御部４１は、情報コード読取装置４０全体を制御可能なマイコン等によって構成され、ＣＰＵ、システムバス、入出力インタフェース等を備え、情報処理機能を有している。
【００４０】
また、情報コード読取装置４０は、表示部４６、操作部４７および通信部４８を備えている。表示部４６は、液晶等から構成されており、制御部４１により制御されて、情報コードを読み取った結果等の所定の情報をその表示画面に表示する機能を有するものである。操作部４７は、複数のキー等により構成されており、制御部４１に対してキー操作に応じた情報を入力する機能を有するものである。通信部４８は、外部装置と通信するためのインタフェースであり、制御部４１により制御されて、取得した読取情報等について外部装置との間で送受信可能に構成されている。
【００４１】
（読取処理）
次に、上述のように構成される情報コード読取システム１０により行われる読取処理について、図３に示すフローチャートを用いて説明する。なお、図３は、第１実施形態に係る情報コード読取装置４０での読取処理の流れを例示するフローチャートである。
コンサートの入場受付開始時間になったことから、情報コード読取装置４０の操作部４７が操作されて読取作業を開始するための情報が制御部４１に入力されると、図３に示す読取処理が開始される。そして、入場チケット（表示媒体２０）が所定の読取位置に配置されることでステップＳ１０１に示す可視光照射処理がなされ、第１照明光源４３から可視光が照射される。次に、ステップＳ１０３に示す撮像処理がなされ、可視光が照射された状態の入場チケットが撮像部４２により撮像される。なお、この撮像処理では、入場チケットの全てが撮像されてもよいし、入場チケットのうち情報コードＣ１が配置される領域を含めた周辺領域のみが撮像されてもよい。
【００４２】
可視光が照射されていることから、情報コードＣ２が撮像されずに情報コードＣ１が撮像されると（図２（Ａ）参照）、ステップＳ１０５に示すデコード処理がなされる。この処理では、撮像された情報コードＣ１を含めたコード画像に対して、そのコード種別について定められた公知の方法でデコードが実施される。なお、ステップＳ１０５に示すデコード処理および後述するデコード処理を実行する制御部４１は、「デコード手段」の一例に相当し得る。
【００４３】
上記デコード処理により、情報コードＣ１として符号化された第１の情報が解読（デコード）されると（Ｓ１０７でＹｅｓ）、ステップＳ１０９に示す専用光照射処理がなされ、第２照明光源４４から専用光が照射される。次に、ステップＳ１１１に示す撮像処理がなされ、専用光が照射された状態の入場チケットが撮像部４２により撮像される。なお、この撮像処理では、入場チケットの全てが撮像されてもよいし、入場チケットのうち情報コードＣ２が配置される領域を含めた周辺領域のみが撮像されてもよい。
【００４４】
ここで、専用光が照射されて撮像された入場チケットが表示媒体２０により構成される正規の入場チケットであれば、情報コードＣ２が撮像されて（図２（Ｂ）参照）、ステップＳ１１３に示すデコード処理がなされる。この処理では、撮像された情報コードＣ２を含めたコード画像に対して、そのコード種別について定められた公知の方法でデコードが実施される。
【００４５】
上記デコード処理により、情報コードＣ２として符号化された第２の情報が解読（デコード）されると（Ｓ１１５でＹｅｓ）、ステップＳ１１７に示す認証処理がなされる。この処理では、第１の情報および第２の情報の双方が読み取られたことから、撮像した入場チケット（表示媒体２０）が正規のものであるとして、この入場チケット（表示媒体２０）を認証するための処理がなされる。なお、上記認証処理を実行する制御部４１は、「認証手段」の一例に相当し得る。
【００４６】
続いて、ステップＳ１１９に示す第１報知処理にて、撮像した入場チケットが正規の入場チケットである旨の表示が表示部４６に表示されて報知される。そして、ステップＳ１２１に示すデータ出力処理にて、読み取った第１の情報および第２の情報等が認証情報とともに通信部４８を介して外部機器等の上位システムに送信（出力）される。
【００４７】
一方、通常の複写機を用いて単に表示媒体２０を複写して偽造したチケットであれば、第１の情報がデコードされるが（Ｓ１０７でＹｅｓ）、専用光を照射しても情報コードＣ２が撮像されないため、ステップＳ１１３のデコード処理が失敗する（Ｓ１１５でＮｏ）。この場合には、ステップＳ１２３に示す第２報知処理がなされ、撮像した入場チケットが正規の入場チケットでない旨が表示部４６に表示されて報知される。この場合には、偽造チケットが読み取られたとして、第１の情報や読み取った情報コード読取装置４０を特定する情報等を、通信部４８を介して外部機器等の上位システムに送信（出力）することができる。
【００４８】
また、可視光が照射された状態でのデコードが失敗した場合には（Ｓ１０７でＮｏ）、ステップＳ１２５に示す第３報知処理がなされ、入場チケットに表示された情報コードが汚れ等により読み取れない状態である旨が表示部４６に表示されて報知される。
【００４９】
以上説明したように、本実施形態に係る情報コード読取システム１０では、表示媒体２０（入場チケット）には、第１の情報が読み取られる視認可能な情報コードＣ１と、マスク部材３０に覆われることで専用光（特定の波長帯の光）に応じた反射特性により第２の情報が読み取られる情報コードＣ２と、が表示されている。そして、情報コード読取装置４０により撮像された情報コードＣ１と情報コードＣ２との双方のデコード結果が得られることで、撮像した表示媒体２０が正規の媒体であることが認証される。
【００５０】
また、情報コード読取方法としては、第１ステップとして、ステップＳ１０５にて、情報コード読取装置４０により撮像された情報コードＣ１がデコードされ、ステップＳ１１３にて、情報コード読取装置４０により専用光が照射された状態で撮像された情報コードＣ２がデコードされ、第２ステップとして、ステップＳ１０５およびステップＳ１１３のそれぞれにてデコード結果が得られることで、ステップＳ１１７にて、撮像した表示媒体２０が正規の媒体であることが認証される。
【００５１】
このように、情報コードＣ１および情報コードＣ２の双方が読み取られる場合にその表示媒体２０が正規の媒体であると認証されるため、単なる複製ではマスク部材３０に覆われることで専用光にて反射特性を示す情報コードＣ２まで正確に複製できないので、情報コードＣ２を利用した表示媒体２０の複製防止を実現することができる。特に、第三者が視認可能な情報コードＣ１があるにも関らず、情報コードＣ１の他に専用光にて反射特性を示す情報コードＣ２が更に用意されていることまで想到することは非常に困難であり、情報コードＣ２の存在の知得を困難にすることができる。したがって、情報コードの複製防止に関するセキュリティ性を向上させることができる。
【００５２】
また、情報コードＣ１および情報コードＣ２は、用紙２１の長手方向に沿い所定の距離だけ離れるように配置されるため、情報コードＣ２の位置を視認可能な情報コードＣ１から容易に推測することができる。なお、情報コードＣ１および情報コードＣ２は、予め定められた所定の読取方向に沿うように配置されても上記効果を奏する。特に、情報コードＣ１および情報コードＣ２を個々に撮像する場合には、表示媒体２０を情報コード読取装置４０に対して上記所定の読取方向に機械的に沿うように送ることで、情報コードＣ１および情報コードＣ２の読み取りをスムーズに実施することができる。
【００５３】
例えば、駐車券や改札機等の様に、情報コード読取装置４０に対して機械的に用紙２１を送る場合、情報コードＣ１側から情報コード読取装置４０に送ることで、まず情報コードＣ１が読み取られ、続いて情報コードＣ２が読み取られる。これは、用紙２１に沿って配置されているから可能である。例えば、用紙２１上の「○×○Concert」のところに大きさを変えて情報コードＣ２があると、焦点距離が変わってしまい、読取に支障が出る可能性があるからである。そのため、情報コードＣ１と情報コードＣ２はほぼ同一の大きさが望ましい。
【００５４】
また、手持ち型の情報コード読取装置４０で読取る際には、最小限の動きで情報コードＣ２を読取ることができる。また、視認できない情報コードＣ２の存在を知っている操作者は、情報コードＣ２の位置を容易に想定できる。このため、手持ち型の情報コード読取装置４０の場合、情報コードＣ１と情報コードＣ２は近傍に配置されることが望ましい。ここで、近傍とは、情報コード読取装置４０の視野内に情報コードＣ１と情報コードＣ２の両方が入る位置を指す。それにより、情報コード読取装置４０をほとんど動かさなくても、情報コードＣ２を読取れるため、そこに情報コードＣ２があることが第三者に分かりにくい。
【００５５】
［第２実施形態］
次に、第２実施形態に係る情報コード読取システムおよび情報コード読取方法並びに表示媒体について、図４を参照して説明する。なお、図４は、第２実施形態に係る表示媒体２０ａの一例を説明する説明図であり、図４（Ａ）は、表示媒体２０ａに対して可視光を照射して撮像した撮像画像を示し、図４（Ｂ）は、表示媒体２０ａに対して専用光を照射して撮像した撮像画像を示す。なお、図４（Ｂ）では、便宜上、マスク部材３１の位置を二点鎖線にて示している。
【００５６】
本第２実施形態では、情報コードＣ２が情報コードＣ１に覆われる点が、上記第１実施形態と主に異なる。具体的には、情報コードＣ２を構成する各モジュールのうち、各明色モジュールは、可視光または専用光が照射されたときに明色の反射特性を示し、各暗色モジュールは、可視光または専用光が照射されたときに暗色の反射特性を示すように構成されている。例えば、情報コードＣ２を構成する各モジュールは、一般的に使用される通常のインクを塗布して構成されている。そして、情報コードＣ２は、上述したマスク部材３０と同質のインクを用いて構成されたマスク部材３１により視認できないように覆われている。
【００５７】
マスク部材３１上には、上述したマスク部材３０と同質のインクを用いて構成された情報コードＣ１が表示されている。このため、可視光が支配的である通常状態では、図４（Ａ）に示すように、情報コードＣ２が情報コードＣ１およびマスク部材３１により隠されて視認および撮像できない状態となる。一方、上記専用光を照射しつつ撮像する場合には、情報コードＣ２を構成する各モジュールからの反射光が情報コードＣ１およびマスク部材３１を透過するため、図４（Ｂ）に示すように撮像され、この撮像画像から情報コードＣ２を抽出することが可能となる。
【００５８】
そして、上記読取処理では、ステップＳ１０５にて、可視光が照射された状態で撮像された情報コードＣ１がデコードされ（Ｓ１０７でＹｅｓ）、ステップＳ１１３にて、専用光が照射された状態で撮像された情報コードＣ２がデコードされることで（Ｓ１１５でＹｅｓ）、ステップＳ１１７にて、表示媒体２０ａが正規の媒体であることが認証される。
【００５９】
以上説明したように、本実施形態に係る情報コード読取システム１０では、表示媒体２０ａには、第１の情報が読み取られるように視認可能であって専用光を透過させる情報コードＣ１と、この情報コードＣ１により覆われて上記専用光に応じた反射特性により第２の情報が読み取られる情報コードＣ２と、が表示されている。そして、撮像された情報コードＣ１と情報コードＣ２との双方のデコード結果が得られることで、撮像した表示媒体２０ａが正規の媒体であることが認証される。
【００６０】
また、情報コード読取方法としては、第１ステップとして、ステップＳ１０５にて、情報コード読取装置４０により撮像された情報コードＣ１がデコードされ、ステップＳ１１３にて、情報コード読取装置４０により専用光が照射された状態で撮像された情報コードＣ２がデコードされ、第２ステップとして、ステップＳ１０５およびステップＳ１１３のそれぞれにてデコード結果が得られることで、ステップＳ１１７にて、撮像した表示媒体２０ａが正規の媒体であることが認証される。
【００６１】
このように、情報コードＣ１および情報コードＣ２の双方が読み取られる場合にその表示媒体２０ａが正規の媒体であると認証されるため、単なる複製では専用光を透過させる情報コードＣ１およびマスク部材３１により情報コードＣ２を覆うことで当該専用光にて反射特性を示す情報コードＣ２まで正確に複製できないので、情報コードＣ２を利用した表示媒体２０ａの複製防止を実現することができる。特に、第三者が視認可能な情報コードＣ１があるにもかかわらず、情報コードＣ１の他に専用光にて反射特性を示す情報コードＣ２が更に用意されていることまで想到することは非常に困難であり、情報コードＣ２の存在の知得を困難にすることができる。さらに、情報コードＣ１を読み取る位置に情報コード読取装置４０の読取口を向けることで情報コードＣ２をも読み取ることができるので、読取作業が容易になるだけでなく、情報コードＣ１により情報コードＣ２の存在の知得をより困難にすることができる。したがって、情報コードの複製防止に関するセキュリティ性を向上させることができる。
【００６２】
特に、情報コードＣ２は、上記専用光を透過するマスク部材３１により覆われ、情報コードＣ１は、マスク部材３１を覆うように配置されている。このため、マスク部材３１により情報コードＣ２の存在の知得をより困難にするだけでなく、重ねるように配置された情報コードＣ１と情報コードＣ２とを明確に区別することができる。
【００６３】
なお、可視光による情報コードＣ２の反射光が情報コードＣ１のデコードを阻害しない構成であれば、マスク部材３１を廃止してもよい。また、情報コードＣ２を構成する各モジュールの一部を専用光が透過可能な別のモジュール群で覆うことで情報コードＣ１を構成してもよい。
【００６４】
また、本実施形態では、情報コードＣ２の存在を知らない第三者にとっては、一見情報コードＣ１を読取っているように見えるが、実は情報コードＣ２を読んでいるというようなこともできる。これにより、情報コードＣ２の存在の知得をより困難にすることができる。
【００６５】
［第３実施形態］
次に、第３実施形態に係る情報コード読取システムおよび情報コード読取方法並びに表示媒体について、図５を参照して説明する。なお、図５は、第３実施形態に係る情報コード読取装置４０での読取処理の流れを例示するフローチャートである。
本第３実施形態では、認証精度を向上させるため、第２の情報に認証のための情報が含まれ、上述した読取処理について図３に示すフローチャートに代えて図５に示すフローチャートに基づいて演算処理する点が、上記第１実施形態と主に異なる。このため、第１実施形態と実質的に同様の構成部分には同一符号を付して説明を省略する。
【００６６】
本実施形態では、情報コードＣ２は、上述したチケット購入者の個人情報等に加えて、認証のための情報（以下、認証用情報ともいう）が第２の情報に含まれるように構成されている。ここで、上記認証用情報は、予め設定される情報であって、例えば、情報コードＣ１を特定可能な情報に設定される。
【００６７】
以下、本実施形態において、情報コード読取装置４０にて実施される読取処理について、図５に示すフローチャートを用いて詳細に説明する。
上記第１実施形態と同様に、図５のステップＳ１０５にて、可視光が照射された状態で撮像された情報コードがデコードされ（Ｓ１０７でＹｅｓ）、ステップＳ１１３にて、専用光が照射された状態で撮像された情報コードがデコードされると（Ｓ１１５でＹｅｓ）、ステップＳ２０１に示す判定処理がなされ、ステップＳ１１３にてデコードされた情報に認証用情報が含まれるか否かについて判定される。
【００６８】
ここで、表示媒体２０により構成される正規の入場チケットを撮像している場合には、デコードされた第２の情報に認証用情報が含まれているので（Ｓ２０１でＹｅｓ）、ステップＳ１１７に示す認証処理がなされ、撮像した入場チケット（表示媒体２０）が正規のものであるとして、この入場チケット（表示媒体２０）を認証するための処理がなされる。そして、ステップＳ１１９以降の処理がなされる。
【００６９】
一方、専用光の照射により情報コードのデコードが成功するような偽造したチケットを撮像している場合でも、その情報コードからデコードされた情報に認証用情報が含まれていない場合には（Ｓ２０１でＮｏ）、ステップＳ１２３に示す第２報知処理がなされ、撮像した入場チケットが正規の入場チケットでない旨が表示部４６に表示されて報知される。
【００７０】
以上説明したように、本実施形態に係る情報コード読取システム１０では、第２の情報には、認証用情報が含まれるため、上記専用光が照射された状態で撮像された情報コードに上記認証用情報が含まれるか否かについて判断することで、情報コードＣ２を読み取っているか否か、すなわち、表示媒体２０（入場チケット）が正規のものであるか否かを判別することができる。これにより、単に情報コードＣ２を読み取っただけは表示媒体２０が正規の媒体であると認証されないので、認証精度を向上させることができる。
【００７１】
なお、読取処理において認証用情報に応じて表示媒体が正規の媒体であるか否かを判別する本実施形態の特徴的構成は、他の実施形態にも適用することができる。
【００７２】
［第４実施形態］
次に、第４実施形態に係る情報コード読取システムおよび情報コード読取方法並びに表示媒体について、図６を参照して説明する。なお、図６は、第４実施形態に係る情報コード読取装置４０での読取処理の流れを例示するフローチャートである。
本第４実施形態では、認証精度を向上させるため、上述した読取処理について図３に示すフローチャートに代えて図６に示すフローチャートに基づいて演算処理する点が、上記第１実施形態と主に異なる。このため、第１実施形態と実質的に同様の構成部分には同一符号を付して説明を省略する。
【００７３】
本実施形態では、情報コードＣ１からデコードされた第１の情報に含まれる情報と、情報コードＣ２からデコードされた第２の情報に含まれる情報との間に一定の関係が成立するように、情報コードＣ１および情報コードＣ２が構成されている。ここで、上記一定の関係としては、例えば、対をなす情報の一方（例えば情報Ａ）が第１の情報に含まれ、他方（例えば情報Ｂ）が第２の情報に含まれる関係が想定される。
【００７４】
以下、本実施形態において、情報コード読取装置４０にて実施される読取処理について、図６に示すフローチャートを用いて詳細に説明する。
上記第１実施形態と同様に、図６のステップＳ１０５にて、可視光が照射された状態で撮像された情報コードがデコードされ（Ｓ１０７でＹｅｓ）、ステップＳ１１３にて、専用光が照射された状態で撮像された情報コードがデコードされると（Ｓ１１５でＹｅｓ）、ステップＳ２０３に示す判定処理がなされ、ステップＳ１０５にてデコードされた情報に含まれる情報と、ステップＳ１１３にてデコードされた情報に含まれる情報とを比較して、一定の関係が成立するか否かについて判定される。
【００７５】
ここで、表示媒体２０により構成される正規の入場チケットを撮像している場合には、ステップＳ１０５にてデコードされた情報に情報Ａが含まれ、ステップＳ１１３にてデコードされた情報に情報Ｂが含まれるため、これらの比較結果に基づいて一定の関係が成立すると判定されて（Ｓ２０３でＹｅｓ）、ステップＳ１１７に示す認証処理がなされ、撮像した入場チケット（表示媒体２０）が正規のものであるとして、この入場チケット（表示媒体２０）を認証するための処理がなされる。そして、ステップＳ１１９以降の処理がなされる。
【００７６】
一方、専用光の照射により情報コードのデコードが成功するような偽造したチケットを撮像している場合でも、対をなす情報がデコードされた情報にそれぞれ含まれていない場合には、一定の関係が成立しないと判定されて（Ｓ２０３でＮｏ）、ステップＳ１２３に示す第２報知処理がなされ、撮像した入場チケットが正規の入場チケットでない旨が表示部４６に表示されて報知される。
【００７７】
以上説明したように、本実施形態に係る情報コード読取システム１０では、さらに、２つのデコード結果の比較結果に応じて、表示媒体２０（入場チケット）が正規のものであることを認証する。これにより、第１の情報の内容と第２の情報の内容との双方を考慮して表示媒体２０が正規の媒体であるか否かについて判別されるため、認証精度をさらに向上させることができる。
【００７８】
なお、読取処理において２つのデコード結果の比較結果に応じて表示媒体が正規の媒体であるか否かを判別する本実施形態の特徴的構成は、他の実施形態にも適用することができる。
【００７９】
［第５実施形態］
次に、第５実施形態に係る情報コード読取システムおよび情報コード読取方法並びに表示媒体について、図７を参照して説明する。なお、図７は、第５実施形態に係る情報コード読取装置４０での読取処理の流れを例示するフローチャートである。
本第５実施形態では、情報コードの複製防止に関するセキュリティ性を向上させるため、第２の情報に有効期限に関する情報が含まれ、上述した読取処理について図３に示すフローチャートに代えて図７に示すフローチャートに基づいて演算処理する点が、上記第１実施形態と主に異なる。このため、第１実施形態と実質的に同様の構成部分には同一符号を付して説明を省略する。
【００８０】
本実施形態では、情報コードＣ２は、上述したチケット購入者の個人情報等に加えて、有効期限に関する情報が第２の情報に含まれるように構成されている。
【００８１】
以下、本実施形態において、情報コード読取装置４０にて実施される読取処理について、図７に示すフローチャートを用いて詳細に説明する。
上記第１実施形態と同様に、図７のステップＳ１０５にて、可視光が照射された状態で撮像された情報コードがデコードされ（Ｓ１０７でＹｅｓ）、ステップＳ１１３にて、専用光が照射された状態で撮像された情報コードがデコードされると（Ｓ１１５でＹｅｓ）、ステップＳ２０５に示す判定処理がなされ、ステップＳ１１３にてデコードされた情報コードが有効期限内のものであるか否かについて判定される。
【００８２】
ここで、有効期限内の表示媒体２０により構成される正規の入場チケットを撮像している場合には（ステップＳ２０５でＹｅｓ）、ステップＳ１１７に示す認証処理がなされ、撮像した入場チケット（表示媒体２０）が正規のものであるとして、この入場チケット（表示媒体２０）を認証するための処理がなされる。そして、ステップＳ１１９以降の処理がなされる。
【００８３】
一方、有効期限を過ぎた入場チケットや有効期限情報を有しない偽造したチケットを撮像している場合には（Ｓ２０５でＮｏ）、ステップＳ１２３に示す第２報知処理がなされ、撮像した入場チケットが正規の入場チケットでない旨が表示部４６に表示されて報知される。
【００８４】
以上説明したように、本実施形態に係る情報コード読取システム１０では、さらに、情報コードＣ２のデコード結果から得られる有効期限が所定の期限内である場合に、その表示媒体２０（入場チケット）が正規の媒体であることを認証する。これにより、有効期限をも考慮して情報コードの複製防止に関するセキュリティ性を向上させるとともに、有効期限の改竄を抑制できるだけでなく、有効期限が設定されていることさえ知得しにくくすることができる。
【００８５】
なお、読取処理において有効期限を考慮して表示媒体を認証する本実施形態の特徴的構成は、他の実施形態にも適用することができる。
【００８６】
［第６実施形態］
次に、第６実施形態に係る情報コード読取システムおよび情報コード読取方法並びに表示媒体について、図８を参照して説明する。なお、図８は、第６実施形態に係る情報コード読取装置４０での読取処理の流れを例示するフローチャートである。
本第６実施形態では、情報コードＣ１に関するセキュリティ性を向上させるため、情報コードＣ１を暗号化し、上述した読取処理について図３に示すフローチャートに代えて図８に示すフローチャートに基づいて演算処理する点が、上記第１実施形態と主に異なる。このため、第１実施形態と実質的に同様の構成部分には同一符号を付して説明を省略する。
【００８７】
本実施形態では、情報コードＣ１は、公開領域と非公開領域（所定の暗号鍵により解読可能に暗号化された暗号データが記録される領域）とを備えた一部非公開コードとして構成されている。このように構成される一部非公開コードを読み取る場合、対応する暗号鍵を有していない読取装置では、公開領域に記録される非暗号データのデコードが可能であっても、非公開領域に記録される暗号データのデコードが不能となる。
【００８８】
このため、本実施形態では、情報コードＣ１の公開領域にコンサートを特定する情報や管理番号等の公開可能な情報が記録され、非公開領域にチケット購入者の個人情報等の非公開とすべき情報が記録されている。また、情報コードＣ２は、上記暗号鍵が第２の情報に含まれるように構成されている。
【００８９】
以下、本実施形態において、情報コード読取装置４０にて実施される読取処理について、図８に示すフローチャートを用いて詳細に説明する。
上記第１実施形態と同様に、可視光が照射された状態で情報コードが撮像されると、図８のステップＳ１０５ａに示す公開部デコード処理がなされ、暗号鍵を必要としない領域（公開領域）についてデコードが実施される。このデコードが成功し（Ｓ１０７Ｙｅｓ）、ステップＳ１１３にて、専用光が照射された状態で撮像された情報コードがデコードされると（Ｓ１１５でＹｅｓ）、ステップＳ２０７に示す非公開部デコード処理がなされる。この処理では、ステップＳ１１３にて取得した第２の情報に含まれる暗号鍵に基づいて、公開領域がデコードされた情報コードの非公開領域についてデコードが実施される。
【００９０】
ここで、暗号鍵が情報コードＣ２に記録された表示媒体２０により構成される正規の入場チケットを撮像している場合には、上記ステップＳ１１３にて暗号鍵が取得されているため、上記非公開部デコード処理では、この暗号鍵を用いたデコードにより、情報コードＣ１の非公開領域に記録されたチケット購入者の個人情報等が取得される（Ｓ２０９でＹｅｓ）。そして、ステップＳ１１７にて、撮像した入場チケット（表示媒体２０）が正規のものであるとして、この入場チケット（表示媒体２０）を認証するための処理がなされ、ステップＳ１１９以降の処理がなされる。
【００９１】
一方、専用光の照射により情報コードのデコードが成功するような偽造したチケットを撮像している場合でも、情報コードＣ１に対応する暗号鍵が取得されていない限り、上記非公開部デコード処理が失敗する（Ｓ２０９でＮｏ）。この場合には、ステップＳ１２３に示す第２報知処理がなされ、撮像した入場チケットが正規の入場チケットでない旨が表示部４６に表示されて報知される。
【００９２】
以上説明したように、本実施形態に係る情報コード読取システム１０では、第２の情報には、情報コードＣ１の非公開領域を解読するための所定の暗号鍵が含まれるため、視認不能な情報コードＣ１を読み取らない限り情報コードＣ１を解読することさえできないので、認証精度をさらに向上させるとともに、情報コードＣ１に関するセキュリティ性を向上させることができる。
【００９３】
なお、情報コードＣ１は、一部非公開コードとして構成されることに限らず、第２の情報に含まれる所定の暗号鍵を用いない限りデコードできないように暗号化されてもよい。この場合、上記読取処理では、専用光照射状態での情報コードＣ２に対するデコード処理の後に可視光照射状態での情報コードＣ１に対するデコード処理を実施することができる。
【００９４】
なお、情報コードＣ１を解読するための所定の暗号鍵を第２の情報に含める本実施形態の特徴的構成は、他の実施形態にも適用することができる。
【００９５】
［第７実施形態］
次に、第７実施形態に係る情報コード読取システムおよび情報コード読取方法並びに表示媒体について、図９を参照して説明する。なお、図９は、第７実施形態に係る情報コード読取装置４０での読取処理の流れを例示するフローチャートである。
本第７実施形態では、読取処理における処理負荷を軽減するため、上述した読取処理について図３に示すフローチャートに代えて図９に示すフローチャートに基づいて演算処理する点が、上記第１実施形態と主に異なる。このため、第１実施形態と実質的に同様の構成部分には同一符号を付して説明を省略する。
【００９６】
以下、本実施形態において、情報コード読取装置４０にて実施される読取処理について、図９に示すフローチャートを用いて詳細に説明する。
入場チケット（表示媒体２０）が所定の読取位置に配置されることで、図９のステップＳ１０１ａに示す専用光照射処理がなされ、第２照明光源４４から専用光が照射される。次に、ステップＳ１０３に示す撮像処理にて、専用光が照射された状態の入場チケットが撮像部４２により撮像され、ステップＳ１０５に示すデコード処理にて、情報コードＣ２が配置される領域のコード画像に対してデコードが実施される。
【００９７】
ここで、専用光が照射されて撮像された入場チケットが表示媒体２０により構成される正規の入場チケットであれば、第２の情報がデコードされる（Ｓ１０７でＹｅｓ）。そして、ステップＳ１０９ａに示す可視光照射処理がなされ、第１照明光源４３から可視光が照射される。次に、ステップＳ１１１に示す撮像処理にて、可視光が照射された状態の入場チケットが撮像部４２により撮像され、ステップＳ１１３に示すデコード処理にて、情報コードＣ１が配置される領域のコード画像に対してデコードが実施される。このデコードが成功して第１の情報が取得されると（Ｓ１１５でＹｅｓ）、ステップＳ１１７に示す認証処理がなされ、撮像した入場チケット（表示媒体２０）が正規のものであるとして、この入場チケット（表示媒体２０）を認証するための処理がなされる。そして、ステップＳ１１９以降の処理がなされる。
【００９８】
一方、通常の複写機を用いて単に表示媒体２０を複写して偽造したチケットであれば、最初のデコード処理（Ｓ１０５）が失敗するため（Ｓ１０７でＮｏ）、可視光が照射された状態の入場チケットが撮像されることもなく、ステップＳ１２３に示す第２報知処理がなされ、撮像した入場チケットが正規の入場チケットでない旨が表示部４６に表示されて報知される。
【００９９】
以上説明したように、本実施形態に係る情報コード読取方法では、専用光が照射された状態で撮像された情報コードＣ２がデコードされた後に、可視光が照射された状態で撮像された情報コードＣ１がデコードされる。これにより、専用光が照射されて撮像された状態でデコードが失敗した媒体を偽造された偽造媒体とみなすことができ、偽造媒体を撮像した場合に情報コードＣ１に関する撮像処理やデコード処理を省略することで、認証に関する処理を容易にし、その処理負荷を軽減することができる。
【０１００】
特に例に挙げたコンサートの入場及びテーマパークでの入場時を想定すると、非常に多くの入場者が次々に入場してくることが想定される。上述のように認証に関する処理を早くすることで、不正検知のために入場ゲートで入場者がごった返して詰まってしまうことを防ぎ、ほとんど大多数を占める正規の入場者に迷惑をかけることなく、入場チケットに関する不正を把握することができる。
【０１０１】
なお、読取処理において、専用光の照射状態で撮像された情報コードのデコード後に、可視光の照射状態で撮像された情報コードのデコードを実施する本実施形態の特徴的構成は、他の実施形態にも適用することができる。
【０１０２】
なお、本発明は上記実施形態に限定されるものではなく、例えば、以下のように具体化してもよい。
（１）専用光（特定の波長帯の光）として波長７５０ｎｍ以上の波長帯の赤外光を採用することに限らず、例えば、専用光として波長３８０ｎｍ以下の波長帯の紫外光を採用してもよい。この場合、マスク部材３０，３１等は、上記紫外光が照射されたときに各モジュールからの反射光を透過させるように構成することができる。
【０１０３】
（２）情報コードＣ１，Ｃ２は、ＱＲコードとして構成されることに限らず、他のコード種別の情報コード、例えば、バーコードやデータマトリックスコード、マキシコード等として構成されてもよい。
【０１０４】
（３）本発明に係る情報コード読取システムは、コンサート及びテーマパーク等の入場管理システムとして採用されることに限らず、例えば、情報コードが表示される割引クーポン等を発行するシステムなど、情報コードが表示される表示媒体を利用する他のシステムに採用することができる。
【符号の説明】
【０１０５】
１０…情報コード読取システム
２０，２０ａ…表示媒体
３０，３１…マスク部材
４０…情報コード読取装置（読取装置）
４１…制御部（認証手段，デコード手段）
４２…撮像部（撮像手段）
４４…第２照明光源（照明手段）
Ｃ１…第１の情報コード
Ｃ２…第２の情報コード
【図１】
2015185079.tif 000003
【図２】
2015185079.tif 000004
【図３】
2015185079.tif 000005
【図４】
2015185079.tif 000006
【図５】
2015185079.tif 000007
【図６】
2015185079.tif 000008
【図７】
2015185079.tif 000009
【図８】
2015185079.tif 000010
【図９】
2015185079.tif 000011